(57)【要約】【課題】  従来、太った体型、妊婦、腰の具合が良くない人等が、足の爪を切る際に前屈が出来ないために、爪切り器を使って足の爪を切ることが出来ないということがあった。本発明はこの欠点に対し、手で爪切り器を操作する必要がないので一切前屈することなく、自分で足の爪を切ることができる爪切りスタンドを提供する。【解決手段】  梃子型の爪切り器３０を固定できる置き台２０の中央部を支点とするシーソー構造と、置き台支点部１２を支持するスタンド本体１０を有し、足を置き台２０に置いて足の爪を梃子型の爪切り器３０に当てた状態で足の踵を下げることで置き台２０を動かし、押し上げられた梃子型の爪切り器３０の操作体３１を押すことができる位置に、操作体支持部１５を配置する。【選択図】図２
2020168375.tif 000002
【特許請求の範囲】
【請求項１】
第１の刃と前記第１の刃と向かい合う第２の刃と、前記第１の刃を前記第２の刃に押圧するための操作体とを有する爪切り器を保持する保持部と、前記第１の刃と前記第２の刃とに向かって使用者の手又は足が載置される載置部であって、使用者の手又は足の動きに応じて変位可能に保持されたシーソー構造の前記載置部と、前記載置部の動きによって前記操作体を変位させて、前記第１の刃を前記第２の刃に押圧する爪切りスタンド。
【請求項２】
スタンド本体を箱形状にすることで、前記爪切り器で切った爪が床等へ飛散することを防止できる形状を備える請求項１の爪切りスタンド。
【請求項３】
厚さの異なる高さ調整板を入れ替えることで、前記保持部に保持する爪切り器の取り付け高さを調整できる形状を備える請求項１の爪切りスタンド。
【発明の詳細な説明】
【技術分野】
【０００１】  本発明は、足の爪を切る時に前屈を不要にする爪切りに関する。
【背景技術】
【０００２】  従来、太った体型、妊婦、腰の具合が良くない人等が、足の爪を切る際、前屈が出来ないために、爪切りを使って自分で足の爪を切ることが出来ないということがあった。
そこで、切刃を備えた爪切り器本体に対して上下梃子を横方向に回転させることで、楽な姿勢で足の爪を切ることができる様にした（特許文献１、２、３）、梃子を押すためのレバーを反対方向に追加することで、切刃に近い手前側を押せる様にした（特許文献４）、爪切り器本体と梃子から上方に伸びるレバーを追加することで体の前屈みを少なく足の爪を切れる様にした（特許文献５）や、身体障害者等の片手が使えない人でも容易に爪切り器を扱える様にした（特許文献６，７）が開示されている。
【先行技術文献】
【特許文献】
【０００３】
【特許文献１】特表２００４−５２１７０５号公報
【特許文献２】特開２０００−３０８５１５号公報
【特許文献３】特開平１１−１６９２２７号公報
【特許文献４】特開２０１８−００８０４１号公報
【特許文献５】特開２０１２−１００８０８号公報
【特許文献６】特開２００１−２９９４３６号公報
【特許文献７】特開平１１−１５５６２８号公報
【発明の概要】
【発明が解決しようとする課題】
【０００４】  しかし特許文献１、２、３、４、５は、従来の爪切り器を使う場合よりは体の前屈みを少なくして足の爪を切れる様にはなるものの、太った体型、妊婦、腰の具合が良くない人等の著しく前屈みに制約がある場合には適さない。
また特許文献６、７は、障害等により手で爪切り器を操作することができない人が、自分で爪を切ることができる様にしたものだが、足の爪を切る場合には適さない。
本発明は、爪切り器をスタンドに固定し、足を動かすことで足の爪を切ることができる様にした点で異なる。
これにより特許文献１、２、３、４、５に対し、一切体を前屈することなく足の爪を切ることができる。
これにより特許文献６，７に対し、障害等により手で爪切り器を操作することができない人でも容易に足の爪を切ることができる。【０００５】  本発明が解決しようとする課題は、一切前屈みになることなく自分で足の爪を切ることができる爪切りスタンドを提供することである。
【課題を解決するための手段】
【０００６】  請求項１の本発明の爪切りスタンドは、第１の刃と前記第１の刃と向かい合う第２の刃と、前記第１の刃を前記第２の刃に押圧するための操作体とを有する爪切り器を保持する保持部と、前記第１の刃と前記第２の刃とに向かって使用者の手又は足が載置される載置部であって、使用者の手又は足の動きに応じて変位可能に保持されたシーソー構造の前記載置部と、前記載置部の動きによって前記操作体を変位させて、前記第１の刃を前記第２の刃に押圧する形状を備えることを特徴とする。【０００７】  請求項２の本発明の爪切りスタンドは、請求項１において、スタンド本体を箱形状にすることで、前記爪切り器で切った爪が床等へ飛散することを防止できる形状を備えることを特徴とする。【０００８】  請求項３の本発明の爪切りスタンドは、請求項１において、厚さの異なる高さ調整板を入れ替えることで、前記保持部に保持する爪切り器の取り付け高さを調整できる形状を備えることを特徴とする。
【発明の効果】
【０００９】  請求項１の本発明の爪切りスタンドによれば、太った体型、妊婦、腰の具合が良くない等の理由により体を前屈みにできない人や、障害があって手で爪切り器を操作できない人が、自分で自分の足の爪を切ることができる。また本発明は手の爪を切る場合にも使えるので、障害があって手で爪切り器を操作できない人が自分で自分の手の爪を切ることもできる。【００１０】  請求項２の本発明の爪切りスタンドによれば、スタンド本体を箱形状にすることで、爪を切った後に切った爪が周辺に飛散することがないので、床等を清掃する必要がなくなる。【００１１】  請求項３の本発明の爪切りスタンドによれば、厚さの異なる高さ調整板を入れ替えることで、爪を切る人毎に異なる足や手の爪の高さに爪切り器の高さを合わせられるので、どの様な人も正確に爪を切ることができる。
【図面の簡単な説明】
【００１２】
【図１】本発明の実施例１を示す爪切りスタンドの上面図である。
【図２】本発明の実施例１を示す爪切りスタンド操作前の横断面図である。
【図３】本発明の実施例１を示す爪切りスタンド操作後の横断面図である。
【図４】テコ型の爪切り器３０を横から見た断面図である。
【図５】本発明の実施例２を示す爪切りスタンド操作前の横断面図である。
【図６】本発明の実施例２を示す爪切りスタンド操作後の横断面図である。
【発明を実施するための形態】
【実施例１】
【００１３】  図１、２、３に示す本発明の実施例１の爪切りスタンドは、置き台２０に足を載置した場合を示す。図２は操作前の爪切りスタンドを、図３は操作後の爪切りスタンドを横から見たものである。【００１４】＜爪切り器＞
本実施例の爪切りスタンドは、市販されている爪切り器を取り付けることができる。
市販されている爪切り器には、主に、梃子型（グリップタイプ）、ニッパー型、ハサミ型などの種類がある。本実施例の爪切りスタンドは、梃子型の爪切り器を用いる。【００１５】＜梃子型の爪切り器３０＞
図４に示すように、梃子型の爪切り器３０は、主に、操作体３１と上刃体３２と下刃体３４とを有する。操作体３１と上刃体３２と下刃体３４は、長尺な形状を有し、長手方向に第１の端部と第２の端部とを有する。【００１６】＜操作体３１、上刃体３２、下刃体３４＞
上刃体３２は、第１の端部に上刃３３を有し、下刃体３４は、第１の端部に下刃３５を有する。操作体３１は、上刃体３２の第１の端部の近くに係止されている。
上刃体３２は、弾性変形することができる。上刃３３と下刃３５は、操作されていない状態では、離隔した位置にあり、操作者によって操作体３１に力が加えられると、梃子の原理により、爪切り器力点３６によって上刃体３２が撓み、上刃３３は下刃３５に近づけれられる。上刃３３を下刃３５に押圧することによって、上刃３３を下刃３５との間に配置されている爪を切断することができる。操作体３１への力を解除したときには、上刃体３２の弾性力により、上刃３３は元の位置に戻る。【００１７】  上刃体３２及び下刃体３４は、第２の端部で、重ねられて固着されている。固着された部分が、上刃３３と下刃３５との爪切り器支点３７となる。本実施例のスタンド本体１０は、梃子型の爪切り器３０の爪切り器支点３７を爪切り器固定部２３で保持することによって、使用する。【００１８】＜スタンド本体１０＞
スタンド本体１０は、本体底部１１と置き台２０と前記置き台２０の置き台支点部１２と支持部１３とを有する。本体底部１１は、スタンド本体１０を床や机や台など（図示せず）に設置するために用いられる。本実施例の形態では、本体底部１１は、平坦な板状の形状を有するが、床や机や台などに設置できればよく、床や机や台などに向かって突出する脚部を有してもよい。【００１９】＜置き台２０＞
置き台２０は、爪を切るための足や手などを載置するための台である。置き台２０は、置き台支点部１２を中心に回転することができる。置き台支点部１２は、スタンド本体１０の側部に固定されている。置き台支点部１２は、支持部１３と平行に配置される。置き台支点部１２を中心に置き台２０を回転させることで、置き台２０をシーソー状に移動させることができる。【００２０】＜支持部１３＞
支持部１３は、本体底部１１に対して垂直に設けられている。支持部１３は、置き台２０に載置された足や手と向かい合う。
支持部１３は、置き台支持部１４と、操作体支持部１５とを有する。【００２１】＜置き台支持部１４＞
置き台支持部１４は、置き台２０の第１の端部と係合できる位置に設けられている。置き台２０は、梃子型の爪切り器３０の上刃体３２の弾性力によって、置き台支持部１４に向かって付勢される。このため、使用していないときには、上刃体３２の弾性力によって、置き台２０の第１の端部は、置き台支持部１４と係合して、置き台２０を一定の位置に支持することができる。【００２２】  置き台支持部１４は、使用者の足や手を置き台２０に載置、操作し易い角度に調整できるように、位置調整機構１６を設ける。置き台支持部１４の高さを調整した場合は、それに合わせて操作体支持部１５の高さを、位置調整機構１７で調整する。【００２３】  本実施例では、支持部１３は、平坦な板状の形状を有するが、本体底部１１に対して垂直に配置されたロッドなどでもよい。支持部１３は、置き台支持部１４及び操作体支持部１５を一定の位置に保持できればよい。【００２４】＜操作体支持部１５＞
操作体支持部１５は、操作体３１の端部を支持する。操作体支持部１５は、位置調整機構１７を有する。位置調整機構１７を調整することによって、使用者の好みの足や手の動かし加減で爪を切ることができる。【００２５】＜置き台２０の動きと梃子型の爪切り器３０の動作＞
置き台２０をシーソー状に移動させることで、梃子型の爪切り３０の上刃３３と下刃３５とを近づけることができる。【００２６】  置き台２０の移動により、梃子型の爪切り器３０の操作体３１を爪切り器支点３７に近づけることによって、上刃３３と下刃３５とを当接させる例を示したが、使用者の動作によって上刃３３と下刃３５とを近づけることができる機構を有するものであればよい。【００２７】＜変形例＞
支持部１３を本体底部１１に対して垂直に配置した例を示したが、支持部１３の向きは、他の角度でもよい。
【実施例２】
【００２８】  図５、６に示す本発明の実施例２の爪切りスタンドは、置き台２０に手を載置した場合を示す。図５は操作前の爪切りスタンド、図６は操作後の爪切りスタンドを横から見たものである。
実施例１、図２、３の爪切り器高さ調整板２２を薄いものに付け替えることで、梃子型の爪切り器３０の取り付け位置が低くなり手の爪を切り易くなる。【００２９】  図１に示す爪切り器位置調整機構２１によって、梃子型の爪切り器３０の大きさや形状に応じて梃子型の爪切り器３０を固定することができる。使用者好みの梃子型の爪切り器３０を取り付けることができる。【００３０】  スタンド本体１０を図１、２の様に箱形状にすることで、切った爪が床等へ飛散することを防止できる。
【符号の説明】
【００３１】１０スタンド本体
１１本体底部
１２置き台支点部
１３支持部
１４置き台支持部
１５操作体支持部
１６位置調整機構
１７位置調整機構
２０置き台
２１爪切り器位置調整機構
２２爪切り器高さ調整板
２３爪切り器固定部
３０梃子型の爪切り器
３１操作体
３２上刃体
３３上刃
３４下刃体
３５下刃
３６爪切り器力点
３７爪切り器支点
【図１】
2020168375.tif 000003
【図２】
2020168375.tif 000004
【図３】
2020168375.tif 000005
【図４】
2020168375.tif 000006
【図５】
2020168375.tif 000007
【図６】
2020168375.tif 000008